(57)【要約】【課題】電子メ−ルの本来の内容を他人に知られることなく、使用者のプライバシ−を適切に保護することができるとともに、他人に無用な疑心を抱かせることなく、また使用者も他人に無用な気遣いをしなくてもすむ、双方に対して適切な配慮がなされた電子メ−ル装置を提供すること。【解決手段】電子メ−ルの画面表示、及び／又は音声読み上げを行う出力処理手段１０を備えた電子メ−ル装置において、電子メ−ルの代わりに利用される代替メ−ルが記憶された代替メ−ル記憶手段１２ｃと、電子メ−ルの代わりに代替メ−ル記憶手段１２ｃに記憶された所定の代替メ−ルの画面表示、及び／又は音声読み上げを行う代替メ−ル出力モ−ドに設定するための第１の出力モ−ド設定手段１３ａとを備え、第１の出力モ−ド設定手段１３ａを介して代替メ−ル出力モ−ドに設定されている場合、出力処理手段１０が、電子メ−ルの代わりに所定の代替メ−ルの画面表示、及び／又は音声読み上げを行う。【選択図】  図１
2004178238.tif 000002
【特許請求の範囲】
【請求項１】
電子メ−ルの画面表示、及び／又は音声読み上げを行う出力処理手段を備えた電子メ−ル装置において、
前記電子メ−ルの代わりに利用される代替メ−ルが記憶された代替メ−ル記憶手段と、
前記電子メ−ルの代わりに前記代替メ−ル記憶手段に記憶された所定の代替メ−ルの画面表示、及び／又は音声読み上げを行う代替メ−ル出力モ−ドに設定するための第１の出力モ−ド設定手段とを備え、
該第１の出力モ−ド設定手段を介して代替メ−ル出力モ−ドに設定されている場合、前記出力処理手段が、前記電子メ−ルの代わりに所定の代替メ−ルの画面表示、及び／又は音声読み上げを行うものであることを特徴とする電子メ−ル装置。
【請求項２】
前記代替メ−ル記憶手段に代替メ−ルを記憶させるための代替メ−ル登録手段を備えていることを特徴とする請求項１記載の電子メ−ル装置。
【請求項３】
電子メ−ルの画面表示、及び／又は音声読み上げを行う出力処理手段を備えた電子メ−ル装置において、
前記電子メ−ル中の所定の語句を代替語句に変換するための変換語句情報が記憶された変換語句情報記憶手段と、
前記電子メ−ル中の所定の語句を前記変換語句情報記憶手段に記憶された所定の代替語句に変換して画面表示、及び／又は音声読み上げを行う代替語句出力モ−ドに設定するための第２の出力モ−ド設定手段とを備え、
該第２の出力モ−ド設定手段を介して代替語句出力モ−ドに設定されている場合、前記出力処理手段が、前記電子メ−ル中の所定の語句が所定の代替語句に変換された電子メ−ルの画面表示、及び／又は音声読み上げを行うものであることを特徴とする電子メ−ル装置。
【請求項４】
前記変換語句情報記憶手段に変換語句情報を記憶させるための変換語句情報登録手段を備えていることを特徴とする請求項３記載の電子メ−ル装置。
【請求項５】
通信履歴情報を表示する履歴情報表示手段を備えた端末装置において、
前記通信履歴情報を代替履歴情報に変換して表示する代替履歴情報表示モ−ドに設定するための表示モ−ド設定手段と、
該表示モ−ド設定手段を介して代替履歴情報表示モ−ドに設定されている場合は、前記通信履歴情報を所定の代替履歴情報に変換して表示する代替履歴情報表示手段とを備えていることを特徴とする端末装置。
【請求項６】
前記通信履歴情報に電話番号が含まれている場合、
前記代替履歴情報表示手段が、前記電話番号を所定の規則に基づいて変換、ランダムな数字を当てはめて変換、又は予め指定された番号に変換して表示するものであることを特徴とする請求項５記載の端末装置。
【請求項７】
前記通信履歴情報に電話番号と名前とが含まれている場合、
前記代替履歴情報表示手段が、前記電話番号と名前とを複数の電話番号と名前とが登録された電話帳デ−タの中から抽出された所定の電話番号と名前とに変換して表示するものであることを特徴とする請求項５記載の端末装置。
【請求項８】
前記通信履歴情報にメ−ルアドレスが含まれている場合、
前記代替履歴情報表示手段が、前記メ−ルアドレスを送信元及び／又は送信先が判別できない文字列からなるメ−ルアドレスに変換して表示するものであることを特徴とする請求項５記載の端末装置。
【発明の詳細な説明】
【０００１】
【発明の属する技術分野】
本発明は電子メ−ル装置及び端末装置に関し、より詳細には電子メ−ルの画面表示、及び／又は音声読み上げを行うことのできる電子メ−ル装置、及び通信履歴情報を表示することのできる端末装置に関する。
【０００２】
【従来の技術】
現在、ネットワ−クを介したコミュニケ−ションツ−ルとして電子メ−ル（以下、メ−ルとも言う）が広く利用されている。電子メ−ル装置が搭載された端末装置としては、携帯電話、ＰＤＡ（携帯情報端末）、ナビゲ−ション装置などの車載端末、及びパ−ソナルコンピュ−タ（パソコン）等があり、これらの端末装置には、各装置の利用環境等の特性に応じた種々の電子メ−ル機能が組み込まれている。
【０００３】
例えば、車載端末では、安全性を配慮して運転時のメ−ル操作を軽減させるために、受信した電子メ−ルを画面表示するとともに音声読み上げを行う機能が装備されているものが知られている（例えば、特許文献１参照）。
【０００４】
前記車載端末では、同乗者がいない場合は、運転者（使用者）のみが、受信した電子メ−ルの内容を容易に把握することができ、便利である。しかしながら、同乗者がいる場合に、該同乗者により受信メ−ルが開かれると、該受信メ−ルの内容が、運転者の意思とは無関係に同乗者全員に知られることとなり、運転者のプライバシ−を保つことができないという課題があった。
【０００５】
一方、車載端末の近傍にいる他人（同乗者）に対して、電子メ−ル受信者（運転者）のプライバシ−を保護することのできる電子メ−ル装置が特許文献２に開示されている。
【０００６】
特許文献２記載の電子メ−ル装置では、受信メ−ルが秘密保護対象であるか否かを所定の判定情報に基づいて判定し、前記受信メ−ルが秘密保護対象であると判定すれば、該受信メ−ルに対してプライバシ−保護のための保護処理を行うようになっているので、前記受信メ−ルが秘密保護対象に該当するものであれば、該受信メ−ルの表示出力に対して自動的にセキュリティ保護がかけられるため、電子メ−ル装置の近傍にいる他人にメ−ル内容を知られるおそれが極めて低くなるとしている。
【０００７】
【特許文献１】
特開平１１−３３８６７１号公報  （第２頁）
【特許文献２】
特開２０００−１３４２５３号公報  （第３頁）
【０００８】
【発明が解決しようとする課題】
上記した端末装置における電子メ−ルのプライバシ−保護機能としては、ユ−ザＩＤやパスワ−ド等の設定を行う個人認証システムが一般に採用されており、該個人認証システムを使用すれば、予め登録された個人認証情報を知る人だけがメ−ル内容を知ることができるようになっている。
【０００９】
上記特許文献２記載の電子メ−ル装置では、前記プライバシ−保護のための保護処理として、使用者がパスワ−ド入力等のセキュリティ解除操作を行わない限り、その電子メ−ルを表示出力しない処理が行われることが記載されている。
【００１０】
したがって、使用者が前記セキュリティ解除操作を行わない限り、メ−ルが開かれることもなく、運転者のプライバシ−は保護される。しかしながら、運転者が前記セキュリティ解除操作を行わない限り、そのメ−ルが開かれないので、他人（同乗者）は、何か自分には知られては困る内容が含まれているのではないかと気になり、運転者に対する疑心を抱くことにもなり、特に、同乗者と運転者との仲が親密な程、その傾向は強くなるものであり、同乗者（他人）に無用な疑心を抱かせずにメ−ルの本来の内容を知られないようにするという配慮に欠けているという課題があった。
【００１１】
また、使用者の立場からすると、ユ−ザＩＤやパスワ−ド等の入力が必要な、あからさまなセキュリティ設定を行うことに抵抗がある場合もあり、他人に端末装置が操作された場合に無用な気遣いをしなければならないという課題もあった。
以上車載端末の場合について説明したが、電子メ−ル装置が装備された自宅等に設置されたパソコンや、携帯電話、ＰＤＡなどの携帯端末においても、同様な課題を有している。
【００１２】
本発明は上記課題に鑑みなされたものであって、電子メ−ルや通信履歴等の本来の内容を他人に知られることなく、使用者のプライバシ−を適切に保護することができるとともに、他人に無用な疑心を抱かせることなく、また使用者も他人に無用な気遣いをしなくてもすむ、双方に対して適切な配慮がなされた電子メ−ル装置及び端末装置を提供することを目的としている。
【００１３】
【課題を解決するための手段及びその効果】
上記目的を達成するために本発明に係る電子メ−ル装置（１）は、電子メ−ルの画面表示、及び／又は音声読み上げを行う出力処理手段を備えた電子メ−ル装置において、前記電子メ−ルの代わりに利用される代替メ−ルが記憶された代替メ−ル記憶手段と、前記電子メ−ルの代わりに前記代替メ−ル記憶手段に記憶された所定の代替メ−ルの画面表示、及び／又は音声読み上げを行う代替メ−ル出力モ−ドに設定するための第１の出力モ−ド設定手段とを備え、該第１の出力モ−ド設定手段を介して代替メ−ル出力モ−ドに設定されている場合、前記出力処理手段が、前記電子メ−ルの代わりに所定の代替メ−ルの画面表示、及び／又は音声読み上げを行うものであることを特徴としている。
【００１４】
上記電子メ−ル装置（１）によれば、例えば、他人により故意に又は不注意等により、受信した電子メ−ルの表示出力操作が行われた場合でも、前記代替メ−ル出力モ−ドに設定されていれば、前記電子メ−ルの代わりに他人に知られても差し障りのない内容の代替メ−ルの画面表示、及び／又は音声読み上げが行われるので、前記電子メ−ルの本来の内容が出力されていないことを他人に気付かれることなく、前記電子メ−ルの本来の内容を他人に知られないようにすることができ、使用者のプライバシ−を適切に保護することができる。
また、個人認証システムのようにパスワ−ド等を入力しなければ内容が確認できないような、あからさまなセキュリティ設定ではないので、他人が使用者に対して無用な疑心を抱くこともなく、また、使用者も他人に無用な気遣いをすることなく、双方に対して適切な配慮がなされた出力処理を行うことができる。
【００１５】
また本発明に係る電子メ−ル装置（２）は、上記電子メ−ル装置（１）において、前記代替メ−ル記憶手段に代替メ−ルを記憶させるための代替メ−ル登録手段を備えていることを特徴としている。
【００１６】
上記電子メ−ル装置（２）によれば、前記代替メ−ル記憶手段に代替メ−ルを記憶させるための代替メ−ル登録手段を備えているので、使用者は、普段交換しているメ−ル内容を踏まえたオリジナルな代替メ−ルを登録することができ、該代替メ−ルのバリエ−ションを増やすことができ、前記電子メ−ルの本来の内容が出力されていないことを他人に気付かれないようにする効果を高めることができる。
【００１７】
また本発明に係る電子メ−ル装置（３）は、電子メ−ルの画面表示、及び／又は音声読み上げを行う出力処理手段を備えた電子メ−ル装置において、前記電子メ−ル中の所定の語句を代替語句に変換するための変換語句情報が記憶された変換語句情報記憶手段と、前記電子メ−ル中の所定の語句を前記変換語句情報記憶手段に記憶された所定の代替語句に変換して画面表示、及び／又は音声読み上げを行う代替語句出力モ−ドに設定するための第２の出力モ−ド設定手段とを備え、該第２の出力モ−ド設定手段を介して代替語句出力モ−ドに設定されている場合、前記出力処理手段が、前記電子メ−ル中の所定の語句が所定の代替語句に変換された電子メ−ルの画面表示、及び／又は音声読み上げを行うものであることを特徴としている。
【００１８】
上記電子メ−ル装置（３）によれば、例えば、他人により故意に又は不注意等により、受信した電子メ−ルの表示出力操作が行われた場合でも、前記代替語句出力モ−ドに設定されていれば、前記電子メ−ル中の所定の語句が他人に知られても差し障りのない内容の所定の代替語句に変換された電子メ−ルの画面表示、及び／又は音声読み上げが行われるので、前記電子メ−ル中の所定の語句が本来の内容で出力されていないことを他人に気付かれることなく、前記電子メ−ル中の知られたくない部分を他人に知られないようにすることができ、使用者のプライバシ−を適切に保護することができる。
また、個人認証システムのようにパスワ−ド等を入力しなければ内容が確認できないような、あからさまなセキュリティ設定ではないので、他人が使用者に対して無用な疑心を抱くこともなく、また、使用者も他人に無用な気遣いをすることなく、双方に対して適切な配慮がなされた出力処理を行うことができる。
【００１９】
また本発明に係る電子メ−ル装置（４）は、上記電子メ−ル装置（３）において、前記変換語句情報記憶手段に変換語句情報を記憶させるための変換語句情報登録手段を備えていることを特徴としている。
【００２０】
上記電子メ−ル装置（４）によれば、前記変換語句情報記憶手段に変換語句情報を記憶させるための変換語句情報登録手段を備えているので、使用者は、他人に知られたくない語句、例えば、名前（姓名）を示す語句、地名等の場所を示す語句、日時を示す語句等に対応して変換する代替語句を予め登録しておくことができ、変換語句のバリエ−ションを増やすことができ、他人に知られたくない語句が出力されていないことを他人に気付かれないようにする効果を高めることができる。
【００２１】
また本発明に係る端末装置（５）は、通信履歴情報を表示する履歴情報表示手段を備えた端末装置において、前記通信履歴情報を代替履歴情報に変換して表示する代替履歴情報表示モ−ドに設定するための表示モ−ド設定手段と、該表示モ−ド設定手段を介して代替履歴情報表示モ−ドに設定されている場合は、前記通信履歴情報を所定の代替履歴情報に変換して表示する代替履歴情報表示手段とを備えていることを特徴としている。
【００２２】
上記端末装置（５）によれば、例えば、他人により故意に又は不注意等により、通信履歴の表示操作が行われた場合でも、前記代替履歴情報表示モ−ドに設定されていれば、前記通信履歴情報が他人に知られても差し障りのない所定の代替履歴情報に変換して表示されるので、前記通信履歴情報の本来の内容が出力されていないことを他人に気付かれることなく、前記通信履歴情報の本来の内容を他人に知られないようにすることができ、使用者のプライバシ−を適切に保護することができる。
また、個人認証システムのようにパスワ−ド等を入力しなければ通信履歴内容が確認できないような、あからさまなセキュリティ設定ではないので、他人が使用者に対して無用な疑心を抱くこともなく、また、使用者も他人に無用な気遣いをすることなく、双方に対して適切な配慮がなされた履歴表示を行うことができる。
【００２３】
また本発明に係る端末装置（６）は、上記端末装置（５）において、前記通信履歴情報に電話番号が含まれている場合、前記代替履歴情報表示手段が、前記電話番号を所定の規則に基づいて変換、ランダムな数字を当てはめて変換、又は予め指定された番号に変換して表示するものであることを特徴としている。
【００２４】
上記端末装置（６）によれば、前記通信履歴情報に電話番号が含まれている場合、前記電話番号を所定の規則に基づいて変換、ランダムな数字を当てはめて変換、又は予め指定された番号に変換して表示されるので、他人に本当の電話番号を知られないようにすることができ、使用者のプライバシ−を適切に保護することができる。
【００２５】
また本発明に係る端末装置（７）は、上記端末装置（５）において、前記通信履歴情報に電話番号と名前とが含まれている場合、前記代替履歴情報表示手段が、前記電話番号と名前とを複数の電話番号と名前とが登録された電話帳デ−タの中から抽出された所定の電話番号と名前とに変換して表示するものであることを特徴としている。
【００２６】
上記端末装置（７）によれば、前記通信履歴情報に電話番号と名前とが含まれている場合、前記電話番号と名前とを前記電話帳デ−タの中から抽出された他人に知られても差し障りのない電話番号と名前とに変換して表示されるので、前記通信履歴情報に含まれる本来の電話番号と名前とを他人に知られないようにすることができ、使用者のプライバシ−を適切に保護することができる。
【００２７】
また本発明に係る端末装置（８）は、上記端末装置（５）において、前記通信履歴情報にメ−ルアドレスが含まれている場合、前記代替履歴情報表示手段が、前記メ−ルアドレスを送信元及び／又は送信先が判別できない文字列からなるメ−ルアドレスに変換して表示するものであることを特徴としている。
【００２８】
上記端末装置（８）によれば、前記通信履歴情報にメ−ルアドレスが含まれている場合、前記メ−ルアドレスが送信元及び／又は送信先が判別できない文字列からなるメ−ルアドレスに変換されて表示されるので、前記通信履歴情報に含まれる本来のメ−ルアドレスを他人に知られないようにすることができ、使用者のプライバシ−を適切に保護することができる。
【００２９】
【発明の実施の形態】
以下、本発明に係る電子メ−ル装置及び端末装置の実施の形態を図面に基づいて説明する。図１は、実施の形態（１）に係る電子メ−ル装置の要部を概略的に示したブロック図である。なお、実施の形態（１）では、自動車等に搭載される電子メ−ル装置を例にとって説明する。
【００３０】
電子メ−ルの送受信機能を備えた通信手段１１が、マイクロコンピュ−タ（マイコン）１０に接続されており、マイコン１０は、電子メ−ル機能、すなわち、メ−ル作成、送信、受信等の電子メ−ルに関する各種の機能を実現するための制御を行い、通信手段１１との間の通信インタ−フェ−スとしての機能も備えている。通信手段１１には、例えば、電子メ−ル機能を備えた携帯電話等が採用される。
【００３１】
また、メモリ１２がマイコン１０に接続されており、メモリ１２には、送信メ−ルが保存される送信メ−ルボックス１２ａと、受信メ−ルが保存される受信メ−ルボックス１２ｂと、本来の電子メ−ルの代わりとして利用される代替メ−ルが記憶される代替メ−ルボックス１２ｃとの記憶領域が設けられている。
【００３２】
マイコン１０は、送信した又は送信するために作成されたメ−ルを送信メ−ルボックス１２ａに保存したり、受信したメ−ルを受信メ−ルボックス１２ｂに保存したり、あるいは、所定のメ−ル出力操作を検出すると、送信メ−ルボックス１２ａや受信メ−ルボックス１２ｂから指定されたメ−ルを読み出したりする処理を行うようになっている。また、マイコン１０は、後程説明する代替メ−ル出力モ−ドに設定されている場合に、代替メ−ルボックス１２ｃに記憶されている所定の代替メ−ルの読み出し処理や、代替メ−ルボックス１２ｃへの新たな代替メ−ルの登録処理等を行うようになっている。
【００３３】
また、表示装置１３に設けられたボタンスイッチ１３ａやリモコン１４に設けられたボタンスイッチ１４ａから出力されたスイッチ信号や、表示装置１３の表示画面１３ｂ上に設けられたタッチパネル１３ｃから出力されたスイッチ信号がマイコン１０に入力され、これらスイッチ信号に応じた処理がマイコン１０で行われるようになっている。
【００３４】
例えば、マイコン１０は、特定の複数のボタンスイッチの同時押しを検出すると、代替メ−ル出力モ−ド、すなわち、送信又は受信メ−ルの表示画面１３ｂ等への出力時に送信メ−ルボックス１２ａや受信メ−ルボックス１２ｂに保存されている電子メ−ルの内容を出力するのではなく、代替メ−ルボックス１２ｃに記憶されている他人に知られても差し障りのない内容で構成される代替メ−ルを出力するモ−ドへの設定を行うようになっている。なお、代替メ−ル出力モ−ドに設定するために複数のスイッチボタンの同時押しを行うのは、代替メ−ル出力モ−ドへの設定を他人に気付かれないようにするためである。
【００３５】
また、マイコン１０は、代替メ−ル出力モ−ドに設定されている場合に特定の複数のボタンスイッチの同時押しを検出すると、代替メ−ル出力モ−ドの解除を行うようになっている。なお、代替メ−ル出力モ−ドへの設定と解除を行うために入力される複数のボタンスイッチは、同一構成でも、異なる構成でもよい。
【００３６】
そして、マイコン１０は、所定のスイッチから送信又は受信メ−ルの出力操作信号を取り込むと、代替メ−ル出力モ−ドに設定されているか否かを判断し、代替メ−ル出力モ−ドに設定されていれば、代替メ−ルボックス１２ｃから読み出された所定の代替メ−ルを表示画面１３ｂに表示するとともに、前記代替メ−ルの内容を音声に合成して、アンプ１５を介してスピ−カ１６から出力し、電子メ−ル内容の音声読み上げを行うようになっている。一方、代替メ−ル出力モ−ドに設定されていなければ、送信メ−ルボックス１２ａ又は受信メ−ルボックス１２ｂから所定のメ−ルが読み出され、表示画面１３ｂへの表示と、送信又は受信メ−ル内容の音声読み上げとが行われるようになっている。
【００３７】
また、マイコン１０は、代替メ−ル出力モ−ドへの設定と同時に代替履歴情報表示モ−ド、すなわち、メ−ルの履歴情報を参照する操作が検出された場合に、送信メ−ルボックス１２ａや受信メ−ルボックス１２ｂに保存されているメ−ルの履歴情報を表示するのではなく、代替メ−ルボックス１２ｃに記憶されている代替メ−ルの履歴情報を表示するモ−ドに設定するようになっている。
【００３８】
図２は、代替メ−ルボックス１２ｃに記憶されている代替メ−ルのデ−タ構造の一例を示している。なお、ここでは受信メ−ル用の代替メ−ルの一例を示しているが、送信メ−ル用の代替メ−ルのデ−タ構造も略同様な項目から構成されている。
【００３９】
デ−タ項目には、メ−ルの受信日を示す日付、メ−ルの送信元を示すメ−ルアドレス、メ−ルの標題、及びメ−ルの本文が含まれている。
日付項目には、例えば、受信メ−ルボックス１２ｂに保存されている受信メ−ル中の日付デ−タを読み取ったものが記憶されたり、あるいは時計機能を備えている通信手段１１から取り込んだ日時デ−タを元に、例えば、２週間以内のランダムに選択された日付デ−タが記憶されるようになっている。
【００４０】
メ−ルアドレス項目には、他人が見ても送信元が誰であるかを判別することができないようにランダムに選択された所定文字数の英数字から構成されたメ−ルアドレスや、受信メ−ルボックス１２ｂに保存されている受信メ−ルアドレスの一部の文字列を適当な文字に変換したり、文字を追加したメ−ルアドレスや、メ−ルマガジンの送信元アドレス等が記憶されるようになっている。
【００４１】
メ−ルの標題項目とメ−ルの本文項目とは、使用者が他人に見られても、そして他人が見ても、すなわち双方にとって差し障りのない内容の標題や本文が記憶されるようになっており、例えば、不特定多数のアドレスに送られるメ−ルマガジンや広告メ−ル等の内容が含まれている。
【００４２】
また、代替メ−ルの各項目は、使用者により任意に登録することができるようになっており、図３は、代替メ−ル登録設定画面の表示例を示している。
代替メ−ル登録設定画面では、代替メ−ルのデ−タを構成する日付、メ−ルアドレス、標題、及び本文の各項目をそれぞれ入力することができるようになっている。文字入力は、所定の入力項目を選択してリモコン１４に設けられたテンキ−（図示せず）を使用して入力したり、あるいは、所定の入力項目を選択すると、図４に示すような文字入力画面に切り替わり、タッチパネル１３ｃを介して文字入力が行えるようにしてもよい。なお図４は、入力項目として本文が選択された時の代替メ−ル本文入力画面を示している。
【００４３】
また、代替メ−ル登録設定画面には、受信メ−ルボックス１２ｂに保存されている受信メ−ルを代替メ−ルとして登録するための受信メ−ル呼出ボタンが設けられている。
【００４４】
図３に示した設定画面において受信メ−ル呼出ボタンが入力されると、図５に示した受信メ−ル選択画面が表示される。図５において画面左のカ−ソルキ−のスライド操作により所望の受信メ−ルが選択され、確定ボタンが入力されると、図６に示すように、代替メ−ル登録設定画面に、選択された受信メ−ルの内容が表示されるようになっている。さらにこの画面を通じて、各項目の内容を使用者の希望する内容に修正することができるようになっている。そして、登録ボタンが入力されると、入力された内容が代替メ−ルとして代替メ−ルボックス１２ｃに記憶されるようになっている。
【００４５】
なお、代替メ−ル登録設定画面における登録ボタンが入力されたときに、日付とメ−ルアドレスとが入力されていない場合は、適当な日付とメ−ルアドレスとが設定され、標題が入力されていない場合は、空欄の状態で代替メ−ルボックス１２ｃに記憶されるようになっている。
【００４６】
次に実施の形態（１）に係る電子メ−ル装置におけるマイコン１０の行うメ−ル受信時の出力処理動作を図７に示したフロ−チャ−トに基づいて説明する。
【００４７】
まず、ステップＳ１では、電子メ−ルを受信したか否かを判断し、電子メ−ルを受信していないと判断すれば処理を終了し、一方、電子メ−ルを受信したと判断すればステップＳ２に進む。
【００４８】
ステップＳ２では、受信した電子メ−ルを受信メ−ルボックス１２ａに保存する処理を行い、その後ステップＳ３に進む。ステップＳ３では、新しい電子メ−ルを受信したことを示す新着メ−ル情報の画面表示、及び音声通知処理、例えば、表示画面１３に「新しいメ−ルを受信しました」という情報を表示するとともに、スピ−カ１６より音声出力する処理を行い、その後ステップＳ４に進む。
【００４９】
ステップＳ４では、受信した電子メ−ルの内容を画面表示、及び音声読み上げを行うためのメ−ル出力操作が検出されたか否かを判断し、メ−ル出力操作が検出されていないと判断すれば処理を終了し、一方、メ−ル出力操作が検出されたと判断すればステップＳ５に進む。
【００５０】
ステップＳ５では、代替メ−ル出力モ−ドに設定されているか否かを判断し、代替メ−ル出力モ−ドに設定されていないと判断すればステップＳ６に進む。ステップＳ６では、受信メ−ルボックス１２ｂから新着受信メ−ルの読み出しを行い、ステップＳ７に進み、ステップＳ７では、読み出された新着受信メ−ルの画面表示及び音声読み上げ処理を行い、その後処理を終了する。
【００５１】
一方、ステップＳ５において、代替メ−ル出力モ−ドに設定されていると判断すればステップＳ８に進み、ステップＳ８では、代替メ−ルボックス１２ｃから所定の代替メ−ルを読み出し、ステップＳ９に進む。ステップＳ９では、読み出された代替メ−ルの画面表示及び音声読み上げ処理を行い、その後処理を終了する。
【００５２】
次に実施の形態（１）に係る電子メ−ル装置におけるマイコン１０の行う保存メ−ルの出力処理動作を図８に示したフロ−チャ−トに基づいて説明する。なお、ここでは受信メ−ルボックス１２ｂに保存されたメ−ルの出力処理について説明するが、送信メ−ルボックス１２ａに保存されたメ−ルを出力する場合においても略同様な処理が行われるようになっている。
【００５３】
まず、ステップＳ１１では、受信メ−ルボックス１２ｂを開く操作が検出されたか否かを判断し、受信メ−ルボックス１２ｂを開く操作が検出されなかったと判断すれば、処理を終了し、一方、受信メ−ルボックス１２ｂを開く操作が検出されたと判断すれば、ステップＳ１２に進む。
【００５４】
ステップＳ１２では、代替履歴情報表示モ−ドに設定されているか否かを判断し、代替履歴情報表示モ−ドに設定されていないと判断すれば、ステップＳ１３に進む。
ステップＳ１３では、受信メ−ルボックス１２ｂに保存されている受信メ−ルの履歴情報（受信メ−ルの受信日付、送信元のメ−ルアドレス、標題を含む）を画面表示する処理を行い、その後ステップＳ１４に進む。
【００５５】
ステップＳ１４では、受信履歴情報の中から所定の受信メ−ルが選択されたか否かを判断し、受信メ−ルが選択されなかったと判断すれば、処理を終了し、一方、受信メ−ルが選択されたと判断すれば、ステップＳ１５に進む。
ステップＳ１５では、受信メ−ルボックス１２ｂから選択された受信メ−ルの読み出しを行い、ステップＳ１６に進み、ステップＳ１６では、読み出された受信メ−ルの画面表示及び音声読み上げ処理を行い、その後処理を終了する。
【００５６】
一方、ステップＳ１２において、代替履歴情報表示モ−ドに設定されていると判断すればステップＳ１７に進み、ステップＳ１７では、代替メ−ルボックス１２ｃに記憶されている代替メ−ルの履歴情報（代替メ−ルの日付（例えば、受信メ−ルの受信日時と同じ日付）、送信元のメ−ルアドレス、標題を含む）を画面表示する処理を行い、その後ステップＳ１８に進む。
【００５７】
ステップＳ１８では、代替履歴情報の中から所定の代替メ−ルが選択されたか否かを判断し、代替メ−ルが選択されなかったと判断すれば、処理を終了し、一方、代替メ−ルが選択されたと判断すれば、ステップＳ１９に進む。
ステップＳ１９では、代替メ−ルボックス１２ｃから選択された代替メ−ルの読み出しを行い、ステップＳ２０に進み、ステップＳ２０では、読み出された代替メ−ルの画面表示及び音声読み上げ処理を行い、その後処理を終了する。
【００５８】
上記実施の形態（１）に係る電子メ−ル装置によれば、例えば、他人により故意に又は不注意等により、受信した電子メ−ルの表示出力操作が行われた場合でも、代替メ−ル出力モ−ドに設定されていれば、受信した電子メ−ルの代わりに他人に知られても差し障りのない内容の代替メ−ルの画面表示、及び／又は音声読み上げが行われるので、受信メ−ルの本来の内容が出力されていないことを他人に気付かれることなく、受信メ−ルの本来の内容を他人に知られないようにすることができ、使用者のプライバシ−を適切に保護することができる。
【００５９】
また、個人認証システムのようにパスワ−ド等を入力しなければ内容が確認できないような、あからさまなセキュリティ設定ではないので、他人が使用者に対して無用な疑心を抱くこともなく、また、使用者も他人に無用な気遣いをすることなく、双方に対して適切な配慮がなされたメ−ル出力処理を行うことができる。
【００６０】
また、図３に示した代替メ−ル登録設定画面を通じて、例えば、普段交換しているメ−ル内容を踏まえたオリジナルな代替メ−ルを代替メ−ルボックス１２ｃに記憶させることができ、代替メ−ルのバリエ−ションを増やすことができ、電子メ−ルの本来の内容が出力されていないことを他人に気付かれないようにする効果を高めることができる。
【００６１】
図９は、実施の形態（２）に係る電子メ−ル装置が採用されたナビゲ−ション装置の要部を概略的に示したブロック図である。但し、図１に示した電子メ−ル装置と同一機能を有する構成部品には同一符号を付しその説明を省略することとする。
【００６２】
実施の形態（１）に係る電子メ−ル装置では、代替メ−ル出力モ−ドに設定されている場合、送信メ−ルボックス１２ａや受信メ−ルボックス１２ｂに保存されているメ−ルの代わりに代替メ−ルボックス１２ｃに記憶されている全く内容の異なる代替メ−ルが出力されるようになっているのに対し、実施の形態（２）に係る電子メ−ル装置が採用されたナビゲ−ション装置では、送信メ−ルボックス１２ａや受信メ−ルボックス１２ｂに保存されているメ−ル中の所定の語句が所定の代替語句に変換された、すなわち他人に知られたくない部分のみが変換されたメ−ルが出力されるようになっている点が相違している。
【００６３】
車速から演算して走行距離を取得するための車速センサ２１と、進行方向を取得するためのジャイロセンサ２２とがマイコン１０Ａに接続されており、マイコン１０Ａは、演算した走行距離及び進行方向に基づいて自車位置を割り出すようになっている。また、アンテナ２３ａを介して衛星からのＧＰＳ信号を受信するためのＧＰＳ受信機２３がマイコン１０Ａに接続されており、マイコン１０ＡはＧＰＳ信号に基づいて自車位置を割り出すようになっている。
【００６４】
また、道路、建物、及び住所等の地図デ−タ、地図とリンクした電話帳デ−タ及び音声案内のための音声デ−タなど、ナビゲ−ションに必要な各種のデ−タが記憶されたデ−タ記憶手段２４がマイコン１０Ａに接続されており、マイコン１０Ａは、割り出した自車位置と地図デ−タとを合わせるマップマッチング処理を行うことにより自車位置が正確に示された地図を表示画面１３ｂへ表示するようになっている。デ−タ記憶手段２４には、例えば、ハ−ドディスクを採用することができ、また、ＤＶＤ等の記録媒体を使用するシステムであってもよい。
【００６５】
そして、マイコン１０Ａは、表示装置１３のボタンスイッチ１３ａ、タッチパネル１３ｃやリモコン１４のボタンスイッチ１４ａからの信号を取り込んで、例えば、目的地設定情報を取り込んで自車位置から目的地までの最適ル−トを探索し、これを誘導ル−トとして地図と共に表示画面１３ｂに表示しながら経路誘導を行うことができるようになっている。
【００６６】
また、通信手段１１がマイコン１０Ａに接続されており、マイコン１０Ａは、電子メ−ル機能、すなわち、メ−ル作成、送信、受信等の電子メ−ルに関する各種の機能を実現するための制御を行い、通信手段１１との間の通信インタ−フェ−スとしての機能も備えている。
【００６７】
また、メモリ１２Ａがマイコン１０Ａに接続されており、メモリ１２Ａには、送信メ−ルボックス１２ａと、受信メ−ルボックス１２ｂと、電子メ−ル中の所定の語句を代替語句に変換するための変換語句情報が記憶される変換語句情報ボックス１２ｄとの記憶領域が設けられている。
【００６８】
マイコン１０Ａは、送信メ−ルボックス１２ａや受信メ−ルボックス１２ｂへのメ−ルの保存処理や、所定のメ−ル出力操作に基づいて、送信メ−ルボックス１２ａや受信メ−ルボックス１２ｂから指定されたメ−ルを読み出したりする処理を行うようになっている。また、マイコン１０Ａは、後程説明する代替語句出力モ−ドに設定されている場合に、変換語句情報ボックス１２ｄに記憶されている変換語句情報を読み出し、出力するメ−ル中から変換対象語句を探索して、代替語句に変換した内容のメ−ルを作成する処理や、変換語句情報ボックス１２ｄへの新たな変換語句情報の登録処理等を行うようになっている。
【００６９】
また、マイコン１０Ａは、ボタンスイッチ１３ａ、タッチパネル１３ｃ、あるいはボタンスイッチ１４ａから出力されたスイッチ信号を取り込み、これらスイッチ信号に応じた処理を行うようになっている。例えば、マイコン１０Ａは、特定の複数のボタンスイッチの同時押しを検出すると、代替語句出力モ−ド、すなわち、送信又は受信メ−ルの表示画面１３ｂ等への出力時に送信メ−ルボックス１２ａや受信メ−ルボックス１２ｂに保存されている電子メ−ルの内容をそのまま出力するのではなく、該電子メ−ル中の所定の語句を他人に知られても差し障りのない代替語句に変換して作成されたメ−ルを出力するモ−ドへの設定を行うようになっている。
【００７０】
また、マイコン１０Ａは、代替語句出力モ−ドに設定されている場合に特定の複数のボタンスイッチの同時押しを検出すると、代替語句出力モ−ドの解除を行うようになっている。なお、代替語句出力モ−ドへの設定と解除を行うために入力される複数のボタンスイッチは、同一構成でも、異なる構成でもよい。
【００７１】
マイコン１０Ａは、所定のスイッチから送信又は受信メ−ルの出力操作信号を取り込むと、代替語句出力モ−ドに設定されているか否かを判断し、代替語句出力モ−ドに設定されていれば、変換語句情報ボックス１２ｄから読み出された変換語句情報に基づいてメ−ル中から変換対象語句を探索し、該変換対象語句を代替語句に変換して作成されたメ−ルを表示画面１３ｂに表示するとともに、作成されたメ−ルの内容を音声に合成して、アンプ１５を介してスピ−カ１６から出力し、音声読み上げを行うようになっている。一方、代替語句出力モ−ドに設定されていなければ、送信メ−ルボックス１２ａ又は受信メ−ルボックス１２ｂから読み出された所定のメ−ルの表示画面１３ｂへの表示と、送信又は受信メ−ル内容の音声読み上げとが行われるようになっている。
【００７２】
図１０は、変換語句情報ボックス１２ｄに記憶されている変換語句情報のデ−タ構造を示している。
変換語句情報は、変換対象語句が分類された複数のファイルから構成されており、例えば、名前ファイル、場所ファイル、日時ファイル、及びユ−ザ指定語ファイル等を含んで構成されている。
【００７３】
名前ファイルは、電子メ−ル中から名前表示部分を探索して、該当部分があれば所定の代替名に変換するために必要なデ−タが含まれており、姓名判別デ−タと代替名デ−タとを含んで構成されている。姓名判別デ−タは、姓名辞書から構成されており、姓や名のデ−タの他に・・さん、・・ちゃんなどの呼び名デ−タも含まれる。なお、本実施の形態においては、デ−タ記憶手段２４に記憶されている電話帳デ−タの名前を姓名判別デ−タとして利用することができるようになっている。また、代替名デ−タには、電子メ−ル中から抽出された名前の代わりに使用する代替名が含まれており、例えば、・・さん（・・には一般的な名字）という形式で記憶されている。
【００７４】
場所ファイルは、電子メ−ル中から場所表示部分（地名、駅、お店など）を探索して、該当部分があれば所定の代替場所に変換するために必要なデ−タが含まれており、場所判別デ−タと代替場所デ−タとを含んで構成されている。本実施の形態においては、デ−タ記憶手段２４に記憶されている地図デ−タ（地名、駅、お店などの各種のスポット情報）を場所判別デ−タとして利用することができるようになっている。また、代替場所デ−タには、電子メ−ル中から探索された場所の代わりに出力される代替場所が含まれている。
【００７５】
日時ファイルは、電子メ−ル中から日時表示部分を探索して、該当部分があれば所定の代替日時に変換するために必要なデ−タが含まれており、日時判別デ−タと代替日時デ−タとを含んで構成されている。日時判別デ−タは、例えば、・・月・・日、・・時・・分、・・：・・等の日付や時刻の表示パタ−ンデ−タから構成されている。また、代替日時デ−タには、電子メ−ル中から探索された日時の代わりに出力される代替日時が含まれている。
【００７６】
ユ−ザ指定語ファイルは、電子メ−ル中からユ−ザが指定した語句の表示部分を探索して、該当する指定語句があれば所定の代替語句に変換するために必要なデ−タが含まれており、ユ−ザ指定語句デ−タと代替指定語句デ−タとを含んで構成されている。ユ−ザ指定語句デ−タと代替指定語句デ−タとは、次に説明する変換語句登録設定画面を通じて入力されるようになっている。
【００７７】
図１１は、変換語句情報を任意に登録することのできる変換語句登録設定画面の表示例を示している。
図１１に示した変換語句登録設定画面では、変換語句情報を登録するファイルの選択を行うことができるようになっており、図１１では、名前ファイル、場所ファイル、日時ファイル、及びユ−ザ指定語ファイル等のファイル選択ボタンが表示されている。
【００７８】
図１１に示した変換語句登録設定画面において、例えば、名前ファイルボタンが選択されると、図１２に示した変換名登録設定画面が表示される。
図１２に示した変換名登録設定画面では、電子メ−ル中から抽出する変換対象名と、該変換対象名の代わりに利用される代替名とを登録することができるようになっており、変換対象名は姓名判断デ−タとして登録され、代替名は代替姓名デ−タとして登録されるようになっている。また、他のファイル選択ボタンが選択された場合も、図１２と略同様な登録設定画面が表示され、変換対象場所と代替場所、変換対象日時と代替日時、及びユ−ザ指定語句と代替指定語句をそれぞれ登録することができるようになっている。
【００７９】
次に実施の形態（２）に係る電子メ−ル装置が採用されたナビゲ−ション装置におけるマイコン１０Ａの行うメ−ル受信時の出力処理動作を図１３に示したフロ−チャ−トに基づいて説明する。但し、図７に示した処理動作と同一の処理動作については同一符号を付し、その説明を省略することとする。
【００８０】
ステップＳ４において、メ−ル出力操作が検出されたと判断すれば、ステップＳ２１に進む。ステップＳ２１では、代替語句出力モ−ドに設定されているか否かを判断し、代替語句出力モ−ドに設定されていると判断すれば、ステップＳ２２に進む。
【００８１】
ステップＳ２２では、変換対象語句の探索処理、すなわち変換語句情報ボックス１２ｄに記憶されている変換語句情報に基づいて、受信した電子メ−ル中から所定の代替語句に変換する必要のある語句を探索する処理を行い、その後ステップＳ２３に進む。ステップＳ２３では、変換対象語句があるか否かを判断し、変換対象語句がなかったと判断すれば、ステップＳ６に進む。
【００８２】
一方、ステップＳ２３において、変換対象語句があると判断すればステップＳ２４に進み、ステップＳ２４では、受信した電子メ−ル中の変換対象語句を所定の代替語句に変換したメ−ルを作成する処理を行い、その後ステップＳ２５に進む。ステップＳ２５では、作成されたメ−ルの画面表示及び音声読み出し処理を行い、その後処理を終了する。
【００８３】
上記実施の形態（２）に係る電子メ−ル装置が採用されたナビゲ−ション装置によれば、例えば、他人により故意に又は不注意等により、受信した電子メ−ルの表示出力操作が行われた場合でも、代替語句出力モ−ドに設定されていれば、受信メ−ル中の所定の語句が他人に知られても差し障りのない内容の所定の代替語句に変換された電子メ−ルの画面表示、及び／又は音声読み上げが行われるので、受信メ−ル中の所定の語句が本来の内容で出力されていないことを他人に気付かれることなく、受信メ−ル中の知られたくない部分を他人に知られないようにすることができ、使用者のプライバシ−を適切に保護することができる。
【００８４】
また、個人認証システムのようにパスワ−ド等を入力しなければ内容が確認できないような、あからさまなセキュリティ設定ではないので、他人が使用者に対して無用な疑心を抱くこともなく、また、使用者も他人に無用な気遣いをすることなく、双方に対して適切な配慮がなされた出力処理を行うことができる。
【００８５】
また、図１１や図１２に示した変換語句登録設定画面を通じて、使用者は、他人に知られたくない語句、例えば、名前（姓名）を示す語句、地名等の場所を示す語句、日時を示す語句、ユ−ザが指定した語句等に対応して変換する代替語句を予め登録しておくことができ、変換語句のバリエ−ションを増やすことができ、知られたくない語句が出力されていないことを他人に気付かれないようにする効果を高めることができる。
【００８６】
また、別の実施の形態では、実施の形態（１）に係る電子メ−ル装置と実施の形態（２）に係る電子メ−ル装置とを組み合わせて、すなわち、代替メ−ル出力モ−ドと代替語句出力モ−ドとがそれぞれ設定できるような構成としてもよい。かかる構成によれば、同乗者に合わせてより適切なモ−ドに設定することが可能になる。
【００８７】
図１４は、実施の形態（３）に係る携帯電話の要部を概略的に示したブロック図である。
携帯電話３０は、送話器として機能するマイク３１と、受話器として機能するスピ−カ３２と、無線部４０と、表示制御部５０と、小型の液晶ディスプレイ等からなる表示部５１と、テンキ−や各種のファンクションキ−からなる操作部５２とを含んで構成されている。
【００８８】
アンテナ４１で受信した電波は、送受切換部４２を介して受信部４３へ送られる。受信部４３は、増幅回路、受信ミキサ回路及び復調回路（いずれも図示せず）を含んで構成されており、受信部４３で復調された音声信号はスピ−カ３２を介して音声出力されるとともに、電波に含まれているデ−タ信号（例えば、着信の電話番号デ−タ等）は、無線制御部４４に取り込まれ、メモリ４５の発着信履歴デ−タ領域４５ａに記憶されるようになっている。
【００８９】
また、マイク３１から入力された音声信号は、送信部４６へ送られる。送信部４６は、変調回路、ミキサ回路及び電力増幅回路（いずれも図示せず）を含んで構成されており、音声信号は、ディジタル信号に変調され、電力増幅された後、送受切換部４２を介してアンテナ４１から発信電波が出力されるようになっている。無線制御部４４は、無線部４０の各部の制御を行うようになっている。
【００９０】
メモリ４５は、過去に発信及び着信した電話番号デ−タを記録する発着信履歴デ−タ領域４５ａと、電話番号、その登録名、及び代替電話番号として使用可能か否かの設定情報等が登録された電話帳デ−タ領域４５ｂとを含んで構成されている。
【００９１】
無線制御部４４は、例えば、着信した電話番号デ−タを受信部４３から取り込むと、電話帳デ−タ領域４５ｂに記憶されている電話番号デ−タから着信電話番号を探索する処理を行い、該当する電話番号デ−タがあれば、発着信履歴デ−タ領域４５ａに電話番号とその登録名とを合わせて記憶する処理を行い、一方、該当する電話番号デ−タがなければ、電話番号のみを記憶する処理を行うようになっている。
【００９２】
また、表示制御部５０は、操作部５２から出力されたスイッチ信号を取り込み、これらスイッチ信号に応じた処理を行うようになっている。例えば、操作部５２のテンキ−を使用して発信先の電話番号が入力されると、表示制御部５０は、テンキ−からの入力信号を取り込み、入力された数字を表示部５１に表示する。そして、操作部５２の発信ボタン（図示せず）からの入力信号を検出すると、電話番号デ−タを無線制御部４４に出力するようになっている。
【００９３】
無線制御部４４では、電話番号デ−タを発信記録としてメモリ４５の発着信履歴デ−タ領域４５ａに記憶するとともに送信部４６に出力して、接続制御が行われるようになっている。
【００９４】
また、表示制御部５０は、特定の複数のテンキ−の同時押しを検出すると、代替履歴情報表示モ−ド、すなわち、メモリ４５の発着信履歴デ−タ領域４５ａに記録された発信及び着信履歴の表示部５１への出力時に発着信履歴デ−タ領域４５ａに記録されている発着信の電話番号をそのまま出力するのではなく、読み出した電話番号を所定の規則に基づいて変換したり、ランダムな数字を当てはめて変換したり、あるいは予め指定された番号に変換して表示するモ−ドへの設定を行うようになっている。
【００９５】
表示制御部５０は、操作部５２から発着信履歴情報の出力操作信号を取り込むと、代替履歴情報出力モ−ドに設定されているか否かを判断し、代替履歴情報出力モ−ドに設定されていれば、所定の電話番号に変換した電話番号を表示部５１に出力して表示するようになっている。一方、代替履歴情報出力モ−ドに設定されていなければ、発着信履歴デ−タ領域４５ａに記録されている発着信の電話番号をそのまま表示部５１へ出力して表示するになっている。
【００９６】
次に実施の形態（３）に係る携帯電話３０における表示制御部５０の行う発着信履歴表示処理動作を図１５に示したフロ−チャ−トに基づいて説明する。
まず、ステップＳ３１では、発信又は着信の履歴表示操作があったか否かを判断し、発信又は着信の履歴表示操作がなかったと判断すれば処理を終了し、一方、発信又は着信の履歴表示操作があったと判断すれば、ステップＳ３２に進む。
【００９７】
ステップＳ３２では、代替履歴情報表示モ−ドに設定されているか否かを判断し、代替履歴情報表示モ−ドに設定されていないと判断すれば、ステップＳ３３に進む。ステップＳ３３では、メモリ４５の発着信履歴デ−タ領域４５ａに保存されている発信又は着信履歴情報（電話番号のみ、又は電話番号とその登録名）をそのまま画面表示する処理を行い、その後処理を終了する。
【００９８】
一方、ステップＳ３２において、代替履歴情報表示モ−ドに設定されていると判断すればステップＳ３４に進む。ステップＳ３４では、画面表示する発信又は着信履歴情報に電話番号の登録名が含まれているか否かを判断し、電話番号の登録名が含まれていない、すなわち、発着信履歴情報が電話番号のみであると判断すれば、ステップＳ３５に進む。
【００９９】
ステップＳ３５では、表示出力する電話番号を代替電話番号に変換する処理、例えば、もとの電話番号の所定の桁に所定数値を加算又は減算して変換したり、下４桁をランダムに選択した数に変換したり、又はあらかじめ使用者が代替電話番号として登録していた番号に変換する処理を行い、その後ステップＳ３６に進む。ステップＳ３６では、代替電話番号を画面表示する処理を行い、その後処理を終了する。
【０１００】
一方、ステップＳ３４において、電話番号の登録者名が含まれていると判断すれば、ステップＳ３７に進む。ステップＳ３７では、電話帳デ−タの中から、代替電話番号として使用可能であると設定されている所定の登録者デ−タを読み出す処理を行い、その後ステップＳ３８に進む。ステップＳ３８では、読み出された登録者の電話帳デ−タの電話番号と登録名とを画面表示する処理を行い、その後処理を終了する。
【０１０１】
上記実施の形態（３）に係る携帯電話３０によれば、例えば、他人により故意に又は不注意等により、発着信履歴の表示操作が行われた場合でも、代替履歴情報表示モ−ドに設定されていれば、発着信履歴情報が他人に知られても差し障りのない所定の代替発着信履歴情報に変換して表示されるので、発着信履歴情報の本来の内容が出力されていないことを他人に気付かれることなく、発着信履歴情報の本来の内容を他人に知られないようにすることができ、使用者のプライバシ−を適切に保護することができる。また、個人認証システムのようにパスワ−ド等を入力しなければ発着信履歴内容が確認できないような、あからさまなセキュリティ設定ではないので、他人が使用者に対して無用な疑心を抱くこともなく、また、使用者も他人に無用な気遣いをすることなく、双方に対して適切な配慮がなされた履歴表示を行うことができる。
【図面の簡単な説明】
【図１】本発明の実施の形態（１）に係る電子メ−ル装置の要部を概略的に示したブロック図である。
【図２】代替メ−ルボックスに記憶されている代替メ−ルのデ−タ構造を説明するための図である。
【図３】表示画面に表示される代替メ−ル登録設定画面の表示例を示す図である。
【図４】表示画面に表示される代替メ−ル本文入力画面の表示例を示す図である。
【図５】表示画面に表示される受信メ−ル選択画面の表示例を示す図である。
【図６】表示画面に表示される代替メ−ル登録設定画面の表示例を示す図である。
【図７】実施の形態（１）に係る電子メ−ル装置におけるマイコンの行う電子メ−ル受信時の出力処理動作を示すフロ−チャ−トである。
【図８】実施の形態（１）に係る電子メ−ル装置におけるマイコンの行う保存メ−ルの出力処理動作を示すフロ−チャ−トである。
【図９】実施の形態（２）に係る電子メ−ル装置が採用されたナビゲ−ション装置の要部を概略的に示したブロック図である。
【図１０】変換語句情報記憶ボックスに記憶されている変換語句情報のデ−タ構造を説明するための図である。
【図１１】表示画面に表示される変換語句登録設定画面の表示例を示す図である。
【図１２】表示画面に表示される変換名登録設定画面の表示例を示す図である。
【図１３】実施の形態（２）に係る電子メ−ル装置が採用されたナビゲ−ション装置におけるマイコンの行う電子メ−ル受信時の出力処理動作を示すフロ−チャ−トである。
【図１４】実施の形態（３）に係る携帯電話の要部を概略的に示したブロック図である。
【図１５】実施の形態（３）に係る携帯電話における表示制御部の行う発着信履歴表示処理動作を示すフロ−チャ−トである。
【符号の説明】
１０  マイコン
１１  通信手段
１２  メモリ
１２ａ  送信メ−ルボックス
１２ｂ  受信メ−ルボックス
１２ｃ  代替メ−ルボックス
１３  表示装置
１３ａ  ボタンスイッチ
１３ｂ  表示画面
１３ｃ  タッチパネル
１４  リモコン
１４ａ  ボタンスイッチ
１６  スピ−カ
【図１】
2004178238.tif 000003
【図２】
2004178238.tif 000004
【図３】
2004178238.tif 000005
【図４】
2004178238.tif 000006
【図５】
2004178238.tif 000007
【図６】
2004178238.tif 000008
【図７】
2004178238.tif 000009
【図８】
2004178238.tif 000010
【図９】
2004178238.tif 000011
【図１０】
2004178238.tif 000012
【図１１】
2004178238.tif 000013
【図１２】
2004178238.tif 000014
【図１３】
2004178238.tif 000015
【図１４】
2004178238.tif 000016
【図１５】
2004178238.tif 000017